(57)【要約】【課題】結婚式披露宴のウェディングケーキ入刀のセレモニーで使用されるウェディングナイフについて、スポットライトを浴びた状況でも充分に目立って華やかさを演出することができ、且つ、装飾品としても優れたものとする。【解決手段】刀身部２及び柄部３を備えて結婚式披露宴のウェディングケーキ入刀のセレモニーで使用されるウェディングナイフ１Ａにおいて、その刀身部２を、互いに逆方向を向く左右の側面２ａ，２ｂが各々平滑面で構成されているとともに、この両側面２ａ，２ｂの合計表面積が刀身部２全表面積の５０％以上を占めており、且つ、透明なクリスタルガラスからなることを特徴とするものとした。【選択図】図１
0003141001.tif 000002
【実用新案登録請求の範囲】
【請求項１】
刀身部及び柄部を備えて結婚式披露宴のウェディングケーキ入刀のセレモニーで使用されるウェディングナイフにおいて、
前記刀身部は、互いに逆方向を向く左右の側面が各々平滑面で構成されているとともに該両側面の合計表面積が前記刀身部全表面積の５０％以上を占めており、且つ、透明なクリスタルガラスからなることを特徴とするウェディングナイフ。
【請求項２】
前記左右の側面の上下周方向に続く各隣接面が、前記左右の側面に対し各々３０°以上の傾斜角を有しているとともに、前記各隣接面の合計面積が前記刀身部表面積の２５％以上を占めている、ことを特徴とする請求項１に記載したウェディングナイフ。
【請求項３】
総ての構成部品がクリスタルガラスからなり、全表面積の９０％以上が平滑面で構成されていることを特徴とする、請求項１または２に記載したウェディングナイフ。
【請求項４】
前記左右の側面のうち少なくとも一方には、少なくとも新郎・新婦の名前を含む結婚式の内容を示す記述が表面艶消し加工により表示されている、ことを特徴とする請求項１，２または３に記載したウェディングナイフ。
【考案の詳細な説明】
【技術分野】
【０００１】
本考案は、結婚式の披露宴においてウェディングケーキ入刀のセレモニーで使用されるウェディングナイフに関する。  
【背景技術】
【０００２】
結婚式の披露宴では、ウェディングケーキ入刀のセレモニーが行われるのが一般的であるが、この披露宴における中心的なセレモニーをより華やかに演出する目的で、新郎・新婦が共同で使用するウェディングナイフに、ステンレス製の刀身部に鏡面仕上げを施してスポットライトに映えるようにした長尺のものが多用されている。
【０００３】
また、このようなニーズに対し、特開平８−２５７２５６号公報にはウェディングナイフの柄部に電灯とスイッチを設けたことで透明の刀身部からライト光が照射されるものが提案されており、刀身部自体を発光させることによりセレモニーをより華やかに演出することが図られている。
【０００４】
しかし、ウェディングケーキ入刀のセレモニーの場合、式場全体は暗くしても新郎・新婦の表情が招待者によく見えるように強力なスポットライトを両人に当てて行うのが通常であり、上記のようなライト発光式のウェディングナイフを使用しても、強力なスポットライトにより刀身部の輝きが殆ど目立たなくなる。また、このウェディングナイフを点灯するには新郎または新婦が自分でスイッチを入れなければならず、緊張した状態で確実に操作が行われる保証はない。
【０００５】
一方、このようなウェディングナイフに、結婚の日付や新郎・新婦の名前等の結婚式の内容を示す記述を刻印して、結婚式の記念品として贈るサービスも近年流行している。このように自宅に持ち帰って飾るタイプのウェディングナイフには、単なる結婚式の記念としてだけではなく、部屋を飾る装飾品としてのデザイン性と美しさが求められている。
【０００６】
しかしながら、上述したステンレス等の金属製ウェディングナイフは、それ自体で高い装飾性を実現することが難しく、また前述のライト式ウェディングナイフでも、常時ライトを点灯させておけないために装飾性が充分ではないため、従来のウェディングナイフでは、このようなニーズに対し充分に対応出来ていないのが現状である。
【特許文献１】特開平８−２５７２５６号公報
【考案の開示】
【考案が解決しようとする課題】
【０００７】
本考案は、上記のような問題点を解決しようとするものであり、結婚式披露宴のウェディングケーキ入刀のセレモニーで使用されるウェディングナイフについて、スポットライトを浴びた状況でも充分に目立って華やかさを演出することができ、且つ、装飾品としても優れたものとすることを課題とする。
【課題を解決するための手段】
【０００８】
そこで、本考案は、刀身部及び柄部を備えて結婚式披露宴のウェディングケーキ入刀のセレモニーで使用されるウェディングナイフにおいて、その刀身部を、互いに逆方向を向く左右の側面が各々平滑面で構成されているとともに、この両側面の合計表面積が刀身部全表面積の５０％以上を占めており、且つ、透明なクリスタルガラスからなることを特徴とするものとした。
【０００９】
このように、ウェディングナイフの刀身部を反射・屈折による輝きに優れたクリスタルガラス製とし、その両側面を平滑面としながら刀身部表面積の半分以上を占めるようにしたことで、ケーキ入刀のセレモニーでスポットライトが照射されることにより光が反射・屈折して刀身部が宝石のように輝くものとなり、スポットライトに映えてセレモニーをより華やかに演出することができ、且つ、装飾品としての美しさも兼ね備えたものとなる。
【００１０】
この場合、その刀身部の左右の側面の上下周方向に続く各隣接面が、左右の側面に対し各々３０°以上の傾斜角を有しているとともに、これら各隣接面の合計面積が刀身部表面積の２５％以上を占めるものとすれば、光を浴びた状態で刀身に僅かな動きを与えることにより、屈折・反射した光がキラキラと動的に輝きくものとなって、より華やかな印象を与えることができる。
【００１１】
さらに、上述したウェディングナイフにおいて、総ての構成部品がクリスタルガラスからなるものとし、その全表面積の９０％以上が平滑面で構成されたものとすれば、光を浴びたときの輝きがより顕著なものとなり、且つ、装飾品としてもより豪華な印象を与えるものとなる。
【００１２】
さらにまた、上述したウェディングナイフにおいて、その刀身部の左右の側面のうち少なくとも一方には、少なくとも新郎・新婦の名前を含む結婚式の内容を示す記述が表面艶消し加工により表示されたものとすれば、記念品としてのニーズに一層対応したものとなり、且つ、一層装飾性に優れたものとなる。
【考案の効果】
【００１３】
刀身部をクリスタルガラス製とし側面を輝きやすくした本考案によると、スポットライトを浴びた状況であっても充分に目立つものとして華やかさを演出することができ、且つ、装飾品としても優れたものとなる。
【考案を実施するための最良の形態】
【００１４】
以下に、図面を参照しながら、本考案を実施するための最良の形態を説明する。尚、本考案において、クリスタルガラスには、原料中に２５重量％以上の鉛を含む厳密な意味のクリスタルガラスに加え、２５重量％未満で１５重量％以上の鉛を含む所謂セミクリスタルガラスも含むものとする。
【００１５】
図１（Ａ）は、本実施の形態のウェディングナイフ１Ａの左側面図を示している。ウェディングナイフ１Ａは、刀身部２、柄部３、鍔部４の３つの部材からなるが、これらの各部材は、表面の各面を精密な平面に研磨して光沢のある平滑面とした透明なクリスタルガラスからなる。そして、これらの部材が接着剤等の接着手段により互いに結合され、ウェディングケーキ入刀の際にスポットライトを浴びることにより、クリスタルガラスの光学的作用により華やかに輝くようにした点を特徴としている。
【００１６】
図１（Ｂ）の底面図を参照して、最も大きな部材である刀身部２は、刃を除く総ての部分が均一な厚さの板状部材からなり、互いに逆方向を向く平行な面である左右の側面２ａ，２ｂ、上面２ｃ、左右の刃面２ｄ，２ｅ、切先上面２ｆの６面から構成されており、これらは刃面２ｄ，２ｅの湾曲部を除く総てが平滑面となっている。尚、刃面２ｄ，２ｅの接合部分で形成される刃は、形式的なケーキカットを行うだけのものであるため、安全性を考慮して実際の刃物のような鋭い仕上げは施していない。
【００１７】
一方、柄部３は、刀身部２とほぼ同じ厚さの板状部材からなり、左右の側面３ａ，３ｂ、上面３ｃ、下面３ｄからなることに加え、装飾性を考慮して下面３ｄの一部に弧状に切り欠いた切り欠き部３ｅと、上面３ｃの基端側から下面３ｄ基端側に続く湾曲部３ｆを有している。そして、鍔部４は、刀身部２とほぼ同じ厚さの板状部材からなり、刀身部２と柄部３の中間に配置され、左右の側面が平滑面からなるとともに上面及び下面が弧状に膨らんだ湾曲面からなる。
【００１８】
図２は、図１（Ｂ）のＸ−Ｘ線に沿って切断した拡大断面図を示している。この刀身部２を切断した断面を見ると、側面２ａに続いて周方向下側に隣接する刃面２ｄは、側面２ａに対し４５°の傾斜角を有し、側面２ａに隣接する他の上面２ｃは、側面２ａに対し９０°の傾斜角を有しており、もう一方の側面２ｂに対する刃面２ｅと上面２ｃも同様である。また、この両側面２ａ，２ｂを合計した表面積は、刀身部２の全表面積の約６５％を占めており、両側面２ａ，２ｂに続いて上下周方向に隣接する各面を合計した表面積は、刀身部２全表面積の約３０％を占めている。
【００１９】
クリスタルガラス製の刀身部２をこのように複数の平滑面で構成したのは、刀身部２全表面積の半分以上を占める両側面２ａ，２ｂに対し、上下に隣接する面が３０°以上の傾斜角を有することにより、これら隣接面から入射して屈折した光が両側面２ａ，２ｂに強い輝きを与えるとともに、刀身部２の角度が僅かに変化するだけで輝きに動的変化が生じるからであり、このような隣接面の合計面積が刀身部２表面積の２５％を超えることにより、その作用が顕著なものとなるからである。
【００２０】
図３は、ウェディングナイフ１の斜視図を示しているが、実際のウェディングケーキ入刀時にはこのような角度で使用され、その動作で刀身部２に動きが加わることになる。そのため、斯かる状況で前方斜め上からスポットライトを浴びることにより、上述した複数の平滑面を有するクリスタルガラス製の刀身部２は、充分な輝きを放つとともに僅かな刀身部２の動きでもその輝きがキラキラとした動的なものとなって、入刀セレモニーにおいて大きく目立つとともに優れた華やかさを演出するものとなる。
【００２１】
図４は、本実施の形態の応用例としてのウェディングナイフ１Ｂの左側面図を示している。本実施の形態のウェディングナイフ１Ｂの基本構成は、前述のウェディングナイフ１Ａと同様であるが、その左の側面２ａには新郎・新婦の名前と結婚式の日付をサンドブラストによる表面艶消し加工で表示した表示部２０を設けた点を特徴としている。
【００２２】
このような構成としたことで、ウェディングナイフ１Ｂを結婚式の記念品として持ち帰る新郎・新婦にとって、さらに大きな付加価値を加えたものとなり、且つ、自宅の部屋を飾る装飾品としてもデザイン性に優れて一層魅力的なものとなる。尚、この場合、図示したように、空いている柄部３の左の側面３ａに披露宴を実施した式場名などの結婚式の内容を示す表示部３０を同様に設ければ、記念品としての付加価値が一層高いものとなる。
【００２３】
以上、述べたように、結婚式披露宴のウェディングケーキ入刀のセレモニーで使用されるウェディングナイフについて、本考案により、スポットライトを浴びた状況でも充分に目立って華やかさを演出することができ、且つ、装飾品としても優れたものとなった。
【図面の簡単な説明】
【００２４】
【図１】（Ａ）は、本考案の実施の形態を示す左側面図、（Ｂ）は（Ａ）のウェディングナイフの底面図。
【図２】図１（Ｂ）のＸ−Ｘ線に沿って切断した拡大断面図。
【図３】図１（Ａ）のウェディングナイフの斜視図。
【図４】図１（Ａ）のウェディングナイフの応用例を示す左側面図。
【符号の説明】
【００２５】
１Ａ，ｌＢ  ウェディングナイフ、２  刀身部、３  柄部、４  鍔部、２ａ，２ｂ，３ａ，３ｂ  側面、２ｃ，３ｃ  上面、２ｄ，２ｅ  刃面、２ｆ  刃先上面、３ｄ  下面、３ｅ  切り欠き部、３ｆ  湾曲部、２０，３０  表示部
【図１】
0003141001.tif 000003
【図２】
0003141001.tif 000004
【図３】
0003141001.tif 000005
【図４】
0003141001.tif 000006